(57)【要約】【課題】気体を吸引する抵抗を低減すること。【解決手段】媒体の搬送方向に沿って移動可能に支持された本体部（２３）と、囲み部材（３６）を移動可能に支持する支持部（３５）と、本体部（２３）の内部に形成された第１の流路（４１）と、媒体を案内する案内部（４２）と、案内部（４２）に形成された第２の吸引口（４３）と、支持部（３５）に形成され且つ第２の吸引口（４３）と第１の流路（４１）とを接続する第２の流路（４５）と、第1の流路（４１）に接続されて気体を吸引する吸引装置（ＨＦ）と、を有し、本体部（２３）に媒体（Ｓ）を吸着して保持する保持部材（２２）と、を備えた媒体供給装置（２１）。【選択図】図６
2014105106.tif 000002
【特許請求の範囲】
【請求項１】
媒体が収容される収容容器と、
前記収容容器の内部に支持されて、表面に媒体が積載される積載部材と、
前記積載部材に対向して配置され且つ前記媒体の搬送方向に沿って移動可能に支持された本体部と、前記本体部から前記積載部材側に延びる囲み部材と、前記媒体に接近、離間する方向に沿って前記囲み部材を移動可能に支持する支持部と、前記囲み部材に囲まれた空間と、前記本体部に形成され且つ前記空間に対して開口する第１の吸引口と、前記本体部の内部に形成され前記第１の吸引口に接続される第１の流路と、前記本体部に支持され且つ下流側に搬送される媒体を案内する案内部と、前記案内部の前記媒体側に形成された第２の吸引口と、前記支持部に形成され且つ前記第２の吸引口と前記第１の流路とを接続する第２の流路と、前記第１の流路に接続されて気体を吸引する吸引装置と、を有し、前記吸引装置により気体を排気して、前記本体部に媒体を吸着して保持する保持部材と、
前記保持部材に対して前記媒体の搬送方向の下流側に配置され、前記保持部材に吸着された媒体を下流側に向けて搬送する搬送部材と、
を備えたことを特徴とする媒体供給装置。
【請求項２】
請求項１に記載の媒体供給装置、
を備えたことを特徴とする画像形成装置。
【発明の詳細な説明】
【技術分野】
【０００１】
本発明は、媒体供給装置および画像形成装置に関する。
【背景技術】
【０００２】
従来の電子写真方式の画像形成装置において、媒体を吸引して搬送する媒体供給装置に関して、以下の特許文献１記載の技術が従来公知である。
【０００３】
特許文献１としての特開２００２−１９９７８号公報には、用紙給送装置プレナム（５８）に形成された小開口（１２４）から排気を行うことで、用紙を吸引し、下流側に搬送する構成が記載されている。特許文献１に記載の構成では、小開口（１２４）から排気が行われると、プレナム（５８）の周囲に吊り下げられた状態で配置された封止機構（３００）の下端に用紙が吸着、捕捉される。用紙が捕捉されて、封止機構（３００）の下端と用紙との間の隙間が無くなった状態において、封止機構（３００）の内部がさらに排気されると、吊り下げられた封止機構（３００）が用紙と共に上昇する。そして、駆動装置（６００）によりプレナム（５８）が下流側に移動すると、下流側に配置された給送ローラ（５５）に捕捉された用紙が受け渡されて下流側に搬送される。
【先行技術文献】
【特許文献】
【０００４】
【特許文献１】特開２００２−１９９７８号公報（「００２３」〜「００２９」、図２〜図５、図１６，図１７）
【発明の概要】
【発明が解決しようとする課題】
【０００５】
本発明は、気体を吸引する抵抗を低減することを技術的課題とする。
【課題を解決するための手段】
【０００６】
前記技術的課題を解決するために、請求項１に記載の発明の媒体供給装置は、
媒体が収容される収容容器と、
前記収容容器の内部に支持されて、表面に媒体が積載される積載部材と、
前記積載部材に対向して配置され且つ前記媒体の搬送方向に沿って移動可能に支持された本体部と、前記本体部から前記積載部材側に延びる囲み部材と、前記媒体に接近、離間する方向に沿って前記囲み部材を移動可能に支持する支持部と、前記囲み部材に囲まれた空間と、前記本体部に形成され且つ前記空間に対して開口する第１の吸引口と、前記本体部の内部に形成され前記第１の吸引口に接続される第１の流路と、前記本体部に支持され且つ下流側に搬送される媒体を案内する案内部と、前記案内部の前記媒体側に形成された第２の吸引口と、前記支持部に形成され且つ前記第２の吸引口と前記第１の流路とを接続する第２の流路と、前記第１の流路に接続されて気体を吸引する吸引装置と、を有し、前記吸引装置により気体を排気して、前記本体部に媒体を吸着して保持する保持部材と、
前記保持部材に対して前記媒体の搬送方向の下流側に配置され、前記保持部材に吸着された媒体を下流側に向けて搬送する搬送部材と、
を備えたことを特徴とする。
【０００７】
前記技術的課題を解決するために、請求項２に記載の発明の画像形成装置は、
請求項１に記載の媒体供給装置、
を備えたことを特徴とする。
【発明の効果】
【０００８】
請求項１、２記載の発明によれば、支持部に第２の流路を形成しない場合に比べて、気体を吸引する抵抗を低減できる。
【図面の簡単な説明】
【０００９】
【図１】図１は本発明の実施例１の画像形成装置の全体説明図である。
【図２】図２は実施例１の給紙トレイの要部拡大図である。
【図３】図３は実施例１の吸着ヘッドの説明図であり、図３Ａは正面図、図３Ｂは平面図である。
【図４】図４は実施例１の吸着ヘッドを斜め下方から見た斜視図である。
【図５】図５は図３ＢのＶ−Ｖ線断面図である。
【図６】図６は実施例１のシートが供給される場合の作用説明図であり、図６Ａは画像形成動作が開始される前の状態の説明図、図６Ｂは画像形成動作が開始されて積載プレートが上昇位置に移動した状態の説明図である。
【図７】図７は実施例１のシートが供給される場合の作用説明図であり、図７Ａは図６Ｂに示す状態から媒体が吸着されると共に媒体を分離するエアが吹き付けられた状態の説明図、図７Ｂは図７Ａに示す状態から吸着ヘッドが吸着位置から供給位置に移動した状態の説明図である。
【図８】図８は実施例１のシートが供給される場合の作用説明図であり、図８Ａは図７Ｂに示す状態からエアの吹き付けが終了した状態の説明図、図８Ｂは図８Ａに示す状態から吸着ヘッドが吸着位置に戻った状態の説明図である。
【図９】図９は従来の吸着ヘッドの説明図である。
【発明を実施するための形態】
【００１０】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１１】
図１は本発明の実施例１の画像形成装置の全体説明図である。
図１において、画像形成装置Ｕは、操作部の一例としてのユーザインタフェースＵＩ、画像情報の入力装置の一例としてのイメージスキャナＵ１、媒体の搬送装置の一例としての給紙装置Ｕ２、画像形成装置の本体Ｕ３、および後処理装置Ｕ４を有する。
【００１２】
前記ユーザインタフェースＵＩは、入力部の一例としてのコピースタートキー、コピー枚数設定キー、テンキー等の入力キーや表示部ＵＩ１を有する。
前記イメージスキャナＵ１は、原稿を自動的に搬送する自動原稿搬送装置および画像読取装置の一例としてのスキャナ本体等により構成されている。
給紙装置Ｕ２は、収容容器の一例であって、給紙部の一例としての複数の給紙トレイＴＲ１、ＴＲ２を有する。給紙トレイＴＲ１，ＴＲ２は、内部に媒体の一例としてのシートＳを収容可能である。また、給紙装置Ｕ２の内部には、搬送路の一例としての給紙路ＳＨ１が形成されている。給紙路ＳＨ１は、各給紙トレイＴＲ１、ＴＲ２から画像形成装置の本体Ｕ３まで延びる。
【００１３】
図１において、画像形成装置の本体Ｕ３は、制御部Ｃを有する。制御部Ｃには、イメージスキャナＵ１からの信号が入力可能に構成されている。また、制御部Ｃは、書込回路Ｄや電源回路Ｅ等を制御する信号を出力する。
前記書込回路Ｄは、イメージスキャナＵ１から入力されたＹ：イエロー、Ｍ：マゼンタ、Ｃ：シアン、Ｋ：黒の画像情報に応じたレーザ駆動信号を、予め設定された時期に、書込装置の一例としての各色の露光機ＲＯＳｙ，ＲＯＳｍ，ＲＯＳｃ，ＲＯＳｋに出力する。
【００１４】
図１において、各露光機ＲＯＳｙ〜ＲＯＳｋの下方には、像保持体の一例としての感光体ドラムＰｙ，Ｐｍ，Ｐｃ，Ｐｋが配置されている。
Ｋ色用の感光体ドラムＰｋの周囲には、感光体ドラムＰｋの回転方向に沿って、帯電器ＣＣｋ、現像装置ＧＫ、１次転写器の一例としての１次転写ロールＴ１ｋ、像保持体の一例としてのドラムクリーナＣＬｋが配置されている。
帯電器ＣＣｋには、電源回路Ｅから、感光体ドラムＰｋを帯電させるための帯電電圧が印加される。現像装置ＧＫは、現像剤の保持体の一例としての現像ロールＲ０を有する。現像ロールＲ０には、電源回路Ｅから、現像電圧が印加される。１次転写ロールＴ１ｋには、電源回路Ｅから、現像剤の帯電極性とは逆極性の１次転写電圧が印加される。
なお、画像形成装置の本体Ｕ３の上部には、現像剤の補給部の一例としてのトナーディスペンサーＵ３ａが配置されている。
【００１５】
なお、実施例１では、感光体ドラムＰｋ、帯電器ＣＣｋおよびドラムクリーナＣＬｋが、像保持体ユニットＵＫとしてユニット化されている。像保持体ユニットＵＫは、画像形成装置の本体Ｕ３に対して、着脱可能に支持されている。
Ｙ，Ｍ，Ｃの各色についても、Ｋ色と同様に構成された像保持体ユニットＵＹ，ＵＭ，ＵＣが設けられている。したがって、各像保持体ユニットＵＹ，ＵＭ，ＵＣも、感光体ドラムＰｙ，Ｐｍ，Ｐｃ、帯電器ＣＣｙ，ＣＣｍ，ＣＣｃ、ドラムクリーナＣＬｙ，ＣＬｍ，ＣＬｃを有する。
【００１６】
また、実施例１では、使用頻度の高く表面の磨耗が多いＫ色の感光体ドラムＰｋは、他の色の感光体ドラムＰｙ，Ｐｍ，Ｐｃに比べて大径に構成され、高速回転対応および長寿命化がされている。
また、実施例１では、現像装置ＧＹ〜ＧＫも、ユニット化されており、画像形成装置の本体Ｕ３に対して着脱可能に支持されている。
前記各像保持体ユニットＵＹ，ＵＭ，ＵＣ，ＵＫと現像装置ＧＹ，ＧＭ，ＧＣ，ＧＫとにより、トナー像の形成部材ＵＹ＋ＧＹ，ＵＭ＋ＧＭ，ＵＣ＋ＧＣ，ＵＫ＋ＧＫが構成されている。
【００１７】
像保持体ユニットＵＹ〜ＵＫの下方には、中間転写装置の一例としてのベルトモジュールＢＭが配置されている。前記ベルトモジュールＢＭは、中間転写体の一例としての中間転写ベルトＢと、中間転写体の支持部材の一例としてのベルト支持ロールＲｄ，Ｒｔ，Ｒｗ，Ｒｆ，Ｔ２aと、１次転写ロールＴ１y，Ｔ１m，Ｔ１c，Ｔ１kとを有する。ベルト支持ロールＲｄ，Ｒｔ，Ｒｗ，Ｒｆ，Ｔ２aは、駆動部材の一例としてのベルト駆動ロールＲｄ、張力付与部材の一例としてのテンションロールＲｔ、蛇行防止部材の一例としてのウォーキングロールＲｗ、従動部材の一例としての複数のアイドラロールＲｆ、および、二次転写用の対向部材の一例としてのバックアップロールＴ２aを有する。
中間転写ベルトＢは前記ベルト支持ロールＲｄ，Ｒｔ，Ｒｗ，Ｒｆ，Ｔ２aにより矢印Ｙａ方向に回転移動可能に支持されている。
【００１８】
前記バックアップロールＴ２aの下方には２次転写ユニットＵｔが配置されている。２次転写ユニットＵｔは、二次転写部材の一例としての２次転写ロールＴ２ｂを有する。２次転写ロールＴ２ｂは、中間転写ベルトＢを挟んでバックアップロールＴ２ａに離隔および接触可能に支持されている。前記２次転写ロールＴ２ｂが中間転写ベルトＢと接触する領域により、画像記録領域の一例としての２次転写領域Ｑ４が形成されている。また、前記バックアップロールＴ２ａには、電圧印加用の接触部材の一例としてのコンタクトロールＴ２ｃが接触している。前記コンタクトロールＴ２ｃには、電源回路Ｅから、予め設定された時期に、トナーの帯電極性と同極性の２次転写電圧が印加される。前記各ロールＴ２ａ〜Ｔ２ｃにより２次転写器Ｔ２が構成されている。
【００１９】
中間転写ベルトＢの回転方向に対して、２次転写領域Ｑ４の下流側には、中間転写体の清掃器の一例としてのベルトクリーナＣＬＢが配置されている。
前記１次転写ロールＴ１y〜Ｔ１k、中間転写ベルトＢ、二次転写器Ｔ２、ベルトクリーナＣＬＢ等により、感光体ドラムＰｙ〜Ｐｋ表面の画像をシートＳに転写する転写装置Ｔ１＋Ｂ＋Ｔ２＋ＣＬＢが構成されている。
感光体ドラムＰｙ〜Ｐｋ、現像装置ＧＹ〜ＧＫ、転写装置Ｔ１＋Ｂ＋Ｔ２＋ＣＬＢ等により、実施例１の画像記録装置の一例としてのプリンタ部Ｕ３ｂが構成されている。
【００２０】
前記ベルトモジュールＢＭ下方には媒体の搬送路ＳＨ２が配置されている。シートＳの搬送方向に対して、搬送路ＳＨ２の上流端は、給紙路ＳＨ１の下流端に接続している。搬送路ＳＨ２には、媒体の搬送部材の一例としての搬送ロールＲａが配置されている。
シートＳの搬送方向に対して、搬送ロールＲａの下流側には、送出時期の調節部材の一例としてのレジロールＲｒが配置されている。
シートＳの搬送方向に対して、レジロールＲｒの下流側には、媒体の案内部材の一例としてのレジガイドＳＧｒおよび転写前のシートガイドＳＧ１が順に配置されている。
【００２１】
シートＳの搬送方向に対して、２次転写領域Ｑ４の下流側には、媒体の案内部材の一例としての転写後のシートガイドＳＧ２が配置されている。シートＳの搬送方向に対して、転写後のシートガイドＳＧ２の下流側には、媒体の搬送部材の一例としての搬送ベルトＢＨが配置されている。
シートＳの搬送方向に対して、搬送ベルトＢＨの下流側には、定着装置Ｆが配置されている。前記定着装置Ｆは、加熱定着部材の一例としての加熱ロールＦｈと、加圧定着部材の一例としての加圧ロールＦｐとを有する。加熱ロールＦｈと加圧ロールＦｐとが接触する領域により定着領域Ｑ５が形成されている。
【００２２】
シートＳの搬送方向に対して、定着装置Ｆの下流側には、媒体の搬送路の一例としての排出路ＳＨ３が形成されている。排出路ＳＨ３は、後処理装置Ｕ４に向けて右方に延びている。
また、排出路ＳＨ３から下方に向けて、媒体の搬送路の一例としての反転路ＳＨ４が分岐している。前記反転路ＳＨ４には、媒体の搬送部材の一例としての正逆回転可能な反転ロールＲｂが配置されている。
反転路ＳＨ４が排出路ＳＨ３から分岐する位置には、搬送路の切替部材の一例としての第１のゲートＧＴ１が配置されている。
【００２３】
後処理装置Ｕ４には、媒体の搬送路の一例としての処理路ＳＨ５が形成されている。処理路ＳＨ５には、湾曲の補正装置の一例としてのデカーラＵ４ａが配置されている。実施例１のデカーラＵ４ａは、湾曲の補正部材の一例としての第１のカール補正部材ｈ１および第２のカール補正部材ｈ２を有する。シートＳの搬送方向に対して、各カール補正部材ｈ１，ｈ２の上流側には、搬送路の切替部材の一例としての切替ゲートｈ３が配置されている。
シートＳの搬送方向に対して、デカーラＵ４ａの下流側には、排出部材の一例としての排出ロールＲｈが配置されている。シートＳの搬送方向に対して、排出ロールＲｈの下流側には、排出部の一例としての排出トレイＴＨ１が配置されている。実施例１の排出トレイＴＨ１は、シートＳの積載量に応じて、上下方向に移動可能に支持されている。
【００２４】
反転路ＳＨ４の上部には、媒体の搬送路の一例としての第２の反転路ＳＨ６が接続されている。第２の反転路ＳＨ６は、反転路ＳＨ４から分岐して、処理路ＳＨ５に向けて延びている。
反転路ＳＨ４と第２の反転路ＳＨ６との分岐部には、搬送路の切替部材の一例としての第２のゲートＧＴ２が配置されている。第２のゲートＧＴ２は、弾性変形可能な薄膜状の部材により構成されている。そして、第２のゲートＧＴ２は、定着装置Ｆから反転路ＳＨ４にシートＳが搬入された場合に、シートＳに押されて弾性変形して、第２のゲートＧＴ２の位置をシートＳが通過可能であると共に、シートＳが反転路ＳＨ４を上方に向けて移動する場合に、シートＳが定着装置Ｆ側に進入することを規制して、処理路ＳＨ５に案内可能に構成されている。
【００２５】
反転路ＳＨ４の下端には、媒体の搬送路の一例としての第３の反転路ＳＨ７が接続されている。第３の反転路ＳＨ７は、後処理装置Ｕ４の下部に形成されている。前記反転路ＳＨ４および第３の反転路ＳＨ７には、媒体の搬送部材の一例としての正逆回転可能な反転ロールＲｂが配置されている。
反転路ＳＨ４と第３の反転路ＳＨ７との接続部には、媒体の搬送路の一例としての循環路ＳＨ８が接続されている。循環路ＳＨ８は、画像形成装置の本体Ｕ２の下部および給紙装置Ｕ２の内部に形成されている。シートＳの搬送方向に対して、循環路ＳＨ８の下流端は、搬送路ＳＨ２の上流端に接続されている。循環路ＳＨ８には、媒体の搬送部材の一例としての搬送ロールＲａが配置されている。
【００２６】
反転路ＳＨ４と循環路ＳＨ８との接続部には、搬送路の切替部材の一例としての第３のゲートＧＴ３が配置されている。第３のゲートＧＴ３は、第２のゲートＧＴ２と同様に、弾性変形可能な薄膜状の部材により構成されている。第３のゲートＧＴ３は、反転路ＳＨ４から第３の反転路ＳＨ７にシートＳが向かう場合に、シートＳに押されて弾性変形して、第３のゲートＧＴ３の位置をシートＳが通過可能であると共に、シートＳが第３の反転路ＳＨ７から循環路ＳＨ８に向かう場合に、シートＳが反転路ＳＨ４側に進入することを規制して、循環路ＳＨ７に案内可能に構成されている。
前記符号ＳＨ１〜ＳＨ８が付された要素により、実施例１の媒体の搬送路ＳＨが構成されている。また、前記符号ＳＨ，Ｖ，Ｒａ，Ｒｒ，Ｒｈ，ＳＧｒ，ＳＧ１，ＳＧ２，ＢＨ、ＧＴ１〜ＧＴ３等が付された要素により、媒体の搬送系ＳＵが構成されている。
【００２７】
（実施例１の画像形成装置の機能）
図１において、ユーザインタフェースＵＩにおいてコピースタートキーが入力されると、イメージスキャナＵ１は、原稿を読取る。読み取られた原稿の画像情報は、画像形成装置の本体Ｕ３の制御部Ｃに入力される。制御部Ｃは、入力された画像の情報に応じた信号を書込回路Ｄを通じて露光機ＲＯＳｙ〜ＲＯＳｋに出力する。
図１において、感光体ドラムＰｙ〜Ｐｋは、それぞれ帯電器ＣＣｙ〜ＣＣｋにより表面が帯電される。表面が帯電された感光体ドラムＰｙ〜Ｐｋは、露光機ＲＯＳｙ〜ＲＯＳｋの出力する書込光の一例としてのレーザビームＬｙ，Ｌｍ，Ｌｃ，Ｌｋにより、静電潜像が形成される。感光体ドラムＰｙ〜Ｐｋの表面の静電潜像は、現像装置ＧＹ〜ＧＫにより、Ｙ：イエロー、Ｍ：マゼンタ、Ｃ：シアン、Ｋ：黒の色の可視像の一例としてのトナー像に現像される。
なお、現像装置ＧＹ〜ＧＫにおいて、現像に伴ってトナーが消費されると、トナーディスペンサーＵ３ａから、消費量に応じてトナーが補給される。
【００２８】
感光体ドラムＰｙ〜Ｐｋ表面上のトナー像は、１次転写ロールＴ１y〜Ｔ１kにより、中間転写ベルトＢ上に転写される。多色画像、いわゆる、カラー画像が形成される場合、中間転写ベルトＢに、各感光体ドラムＰｙ〜Ｐｋのトナー像が順次重ねて転写される。また、黒画像データのみの場合は、Ｋ：黒の感光体ドラムＰｋおよび現像器ＧＫのみが使用されて、黒のトナー像のみが形成される。したがって、中間転写ベルトＢにも黒のトナー像のみが転写される。
１次転写がされた後、感光体ドラムＰｙ〜Ｐｋの表面に残留したトナーは、ドラムクリーナＣＬｙ〜ＣＬｋによりクリーニングされる。
中間転写ベルトＢに転写されたトナー像は、２次転写領域Ｑ４に搬送される。
【００２９】
給紙トレイＴＲ１、ＴＲ２に収容されたシートＳは、給紙路ＳＨ１を通じて、画像形成装置の本体Ｕ３に搬送される。搬送路ＳＨ２のシートＳは、搬送ロールＲａにより、レジロールＲｒに搬送される。
レジロールＲｒは、トナー像が２次転写領域Ｑ４に搬送される時期に合わせて、シートＳを送り出す。レジロールＲｒで送り出されたシートＳは、ガイドＳＧｒ、ＳＧ１で案内されて２次転写領域Ｑ４に搬送される。
中間転写ベルトＢ上のトナー像は、２次転写領域Ｑ４を通過する際に、２次転写器Ｔ２により、シートＳに転写される。なお、カラー画像の場合は、中間転写ベルトＢの表面に重ねて１次転写されたトナー像が、一括してシートＳに２次転写される。
２次転写領域Ｑ４を通過した後の中間転写ベルトＢは、ベルトクリーナＣＬＢにより、残留したトナーが清掃される。
【００３０】
トナー像が２次転写されたシートＳは、転写後の媒体案内部材ＳＧ２、定着前の媒体搬送部材の一例としての搬送ベルトＢＨを通って定着装置Ｆに搬送される。シートＳの表面のトナー像は、定着領域Ｑ５を通過する際に、定着装置Ｆにより加熱定着される。定着領域Ｑ５でトナー像が加熱定着されたシートＳは、排出路ＳＨ３を搬送される。
シートＳが排出トレイＴＨ１に排出される場合、第１のゲートＧＴ１は、シートＳの搬送先を処理路ＳＨ５に切り替える。切替ゲートｈ３は、処理路ＳＨ５に搬送されたシートＳの湾曲、いわゆるカールの方向に応じて、第１のカール補正部材ｈ１または第２のカール補正部材ｈ２に搬送先を切り替える。各カール補正部材ｈ１，ｈ２は、通過するシートＳのカールを補正する。カールが補正されたシートＳは、排出ロールＲｈにより排出トレイＴＨ１に排出される。なお、この場合は、シートＳは、画像の面が上向きの状態、いわゆる、フェイスアップの状態で排出トレイＴＨ１に排出される。
【００３１】
シートＳが排出トレイＴＨ１に対して、表裏が反転した状態で排出される場合、第１のゲートＧＴ１は、定着装置Ｆを通過したシートＳの搬送先を、反転路ＳＨ４に切り替える。反転路ＳＨ４に搬入されたシートＳの搬送方向の後端が、第２のゲートＧＴ２を通過すると、反転ロールＲｂが逆回転をする。したがって、シートＳは搬送方向が前後逆転、いわゆる、スイッチバックされる。スイッチバックされたシートＳは、第２のゲートＧＴ２に案内されて、第２の反転路ＳＨ６を通じて、処理路ＳＨ５に搬送される。したがって、シートＳは、第２の反転路ＳＨ６を通過しない場合に対して、シートＳの表裏が反転された状態で、処理路ＳＨ５に搬入される。表裏が反転したシートＳは、デカーラＵ４ａでカールが補正された後、排出トレイＴＨ１に、画像の面が下向きの状態、いわゆるフェイスダウンの状態で排出される。
【００３２】
シートＳが両面印刷される場合、第１のゲートＧＴ１は、一面目に画像が定着されたシートＳの搬送先を、反転路ＳＨ４に切り替える。反転路ＳＨ４に搬入されたシートＳは、搬送方向の後端が、第３のゲートＧＴ３を通過して、第３の反転路ＳＨ７に進入するまで搬送される。第３の反転路ＳＨ７に搬送されたシートＳは、反転ロールＲｂにより、搬送方向が前後逆転された状態で搬送される。すなわち、シートＳはスイッチバックされる。スイッチバックされたシートＳは、第３のゲートＧＴ３に案内されて循環路ＳＨ８に搬入される。循環路ＳＨ８を搬送されたシートＳは、搬送路ＳＨ２を通じて、レジロールＲｒに、表裏が反転した状態で搬送される。
【００３３】
（給紙トレイの説明）
図２は実施例１の給紙トレイの要部拡大図である。
ここで、実施例１の前記各給紙トレイＴＲ１、ＴＲ２については、下方に配置された第２の給紙トレイＴＲ２についてのみ詳細に説明し、第１の給紙トレイＴＲ１については、第２の給紙トレイＴＲ２と同様の構成であるため、詳細な説明を省略する。
【００３４】
図２において、第２の給紙トレイＴＲ２は、収容部の一例としてのトレイ本体１を有する。トレイ本体１の下部の左右両端には、被案内部材の一例としてのレール２が支持されている。レール２は前後方向に延びている。
レール２に対して、左右方向の外側には、案内部材の一例としてのガイドレール３が配置されている。ガイドレール３には、回転部材の一例としてのローラ４が回転可能に支持されている。ローラ４は、レール２の下面に接触してレール２を前後方向に案内可能に構成されている。
【００３５】
トレイ本体１の内部には、積載部材の一例としての昇降プレート１１が支持されている。昇降プレート１１の上面には、シートＳの積載面が形成されている。昇降プレート１１は、給紙動作に応じて、上面にシートＳを積載した状態で昇降可能に支持されている。なお、昇降プレート１１を昇降させる構成は、例えば、特開２０１０−１４３６５８号公報や特開２０１０−１４９９８２号公報等に記載されているように従来公知であり、従来公知の種々の構成を採用可能であるため、詳細な説明は省略する。
【００３６】
図３は実施例１の吸着ヘッドの説明図であり、図３Ａは正面図、図３Ｂは平面図である。
図４は実施例１の吸着ヘッドを斜め下方から見た斜視図である。
図５は図３ＢのＶ−Ｖ線断面図である。
図２〜図５において、前記第２給紙トレイＴＲ２の上方には、媒体の取出部材の一例としてのシート取出装置２１が配置されている。前記シート取出装置２１は、保持部材の一例としての吸着ヘッド２２を有する。前記吸着ヘッド２２は、保持部材の本体部の一例としてのヘッド本体２３を有する。実施例１のヘッド本体２３は、平板状の底板部２４と、底板部２４の前後左右から上下方向に延びる側壁２６，２７，２８，２９とを有する。
【００３７】
前記底板部２４には、第１の吸引口の一例として、上下方向に貫通する吸気口３１が複数形成されている。
また、底板部２４の下面の右部には、湾曲付与部の一例としての傾斜面３２が形成されている。実施例１の傾斜面３２は、右方に行くほど下方に傾斜すると共に前後方向中央部に行くほど左方に傾斜する形状に形成されている。さらに、底板部２４の下面の前後両端部には、湾曲付与部の一例としてのリブ３３が支持されている。リブ３３は、底板部２４の下面から下方に延びる板状に形成されている。実施例１のリブ３３は、底板部２４の前側および後側に、それぞれ３つずつ配置され、且つ、３つのリブ３３は左右方向に間隔をあけて配置されている。
【００３８】
図３Ａ、図５において、前、後、左の各側壁２６，２７，２８の外表面には、囲み部材の支持部の一例としてのピン３４が支持されている。各ピン３４は、各側壁２６，２７，２８の外表面から外方に突出する円柱状に形成されている。また、各ピン３４は、各側壁２６，２７，２８の外表面に沿って、左右または前後方向に間隔をあけて複数配置されている。
右側の側壁２９には、囲み部材の支持部の一例としての支持筒３５が支持されている。支持筒３５は、側壁２９の外表面から右方に突出する中空円筒状に形成されている。したがって、支持筒３５の内部には、貫通口３５ａが形成されている。実施例１の支持筒３５は、前後方向に間隔をあけて２つ配置されている。
【００３９】
図３Ａ、図４、図５において、ヘッド本体２３の外表面には、囲み部材の一例としての封止スカート３６が配置されている。実施例１の封止スカート３６は、下方に延びる板状に形成されている。封止スカート３６には、ピン３４や支持筒３５に対応する位置に、被支持部の一例としての長孔３６ａが形成されている。長孔３６ａは、上下方向に延びる孔により構成されている。前記長孔３６ａには、ピン３４や支持筒３５が貫通している。したがって、封止スカート３６は、昇降プレート１１や昇降プレート１１に積載されたシートＳに対して、接近離間する方向に移動可能に支持されている。
したがって、実施例１の吸着ヘッド２２では、封止スカート３６や側壁２６〜２９により囲まれた内側に、吸気口３１が配置されている。封止スカート３６や底板部２４の下面、側壁２６〜２９により囲まれた空間によって、実施例１の吸気される空間３７が構成されている。
【００４０】
ヘッド本体２３の上部には、覆い部材の一例として、蓋状のカバー部３９が支持されている。カバー部３９は、上板部３９ａを有する。上板部３９ａは、板状に形成されている。上板部３９ａは、底板部２４および側壁２６〜２９で囲まれた空間の上方を塞ぐ。上板部３９ａの前、後および左の端からは、側板部３９ｂ，３９ｃ，３９ｄが下方に延びている。
図３Ｂ、図４において、前側の側板部３９ｂの右部には、接続部の一例としての排気ダクト３９ｆが形成されている。前記排気ダクト３９ｆには、可撓性部材の一例としての蛇腹４０の一端が接続されている。蛇腹４０の他端には、吸引装置の一例としての排気ファンＨＦが接続されている。
【００４１】
底板部２４、側壁２６〜２９および上板部３９ａにより囲まれた空間により、第１の流路の一例としてのメイン流路４１が構成されている。したがって、実施例１のメイン流路４１は、排気ファンＨＦの作動時に、吸気される空間３７から吸気口３１を通じて吸引された気体が通過する流路を構成する。
図５において、前記メイン流路４１の右端部には、流路の一例としての接続路４１ａが形成されている。接続路４１ａは、メイン流路４１から支持筒３５に向けて右方に延びている。なお、実施例１では、支持筒３５は、メイン流路４１の上下方向の高さに対応する位置に配置されている。したがって、実施例1の支持筒３５は、他のピン３４に比べて、上方に配置されている。
【００４２】
図３〜図５において、ヘッド本体２３の右方には、案内部の一例としてのシートガイド４２が配置されている。図３Ｂにおいて、実施例１のシートガイド４２の前後方向の長さは、前後方向に間隔をあけて配置された搬送ロールＲａの間を通過できる長さに設定されている。なお、実施例１の搬送ロールＲａは、搬送ロールＲａの内端どうしの間隔が、予め設定された使用可能な最小サイズのシートＳの幅よりも狭い間隔に設定されている。
シートガイド４２は、被支持部４２ａを有する。実施例１の被支持部４２ａは、前側の側壁２９に対向する板状に形成されている。また、被支持部４２ａは、支持筒３５の右端に固定支持されている。被支持部４２ａの下端には、案内部の本体の一例としてのガイド本体４２ｂが形成されている。ガイド本体４２ｂは、右方に延びる板状に形成されている。なお、図示は省略するが、ガイド本体４２ｂの下面は、前後方向に対して湾曲しており、湾曲付与部としての機能が付与されている。
【００４３】
ガイド本体４２ｂの下面には、第２の吸引口の一例としてのガイドの吸気口４３が形成されている。実施例１のガイドの吸気口４３は、支持筒３５の位置に対応させて、前後方向に間隔をあけて２つ配置されている。
シートガイド４２の内部には、気体の流路の一例としてのガイドの流路４４が形成されている。ガイドの流路４４は、ガイドの吸気口４３から支持筒３５まで延びている。
前記貫通口３５ａ、接続路４１ａ、ガイドの流路４４により、実施例１の第２の流路４５が構成されている。
符号２３〜４５を付した部材等により、実施例１の吸着ヘッド２２が構成されている。
【００４４】
前記カバー部３９の上面には、移動用の被案内部の一例としてのシャフトのガイド部４６が支持されている。シャフトのガイド部４６の内部には、貫通孔４６ａが形成されている。貫通孔４６ａは、媒体の搬送方向である左右方向に貫通している。貫通孔４６ａには、軸受け部材の一例としてのリニアボールベアリング４７の外周面が支持されている。リニアボールベアリング４７の内周面には、案内部材の一例としてのガイドシャフト４８が貫通した状態で支持されている。ガイドシャフト４８は、媒体の搬送方向である左右方向に沿って延びる棒状に形成されている。ガイドシャフト４８は、給紙装置Ｕ２の枠体４９に支持されている。実施例１のシャフトのガイド部４６は、リニアボールベアリング４７を介して、ガイドシャフト４８に対して、左右方向に移動可能且つ回転不能な状態で支持されている。
【００４５】
前記シャフトのガイド部４６の上面には、連結部の一例としてのワイヤの固定部５１が支持されている。前記ワイヤの固定部５１には、線材の一例としてのワイヤ５２が固定支持されている。
ワイヤ固定部５１の左方および右方には、支持部材の一例としてのプーリ５３が配置されている。また、右側のプーリ５３の前方には、駆動部材の一例としての駆動プーリ５４が配置されている。また、左側のプーリ５３の前方には、従動部材の一例としての従動プーリ５６が配置されている。ワイヤ５２は、各プーリ５３〜５６に張架されている。駆動プーリ５４には、駆動源の一例としての正逆回転可能なモータＭ１から回転が伝達される。
【００４６】
図２において、前記吸着ヘッド２２と搬送ロールＲａとの間には、媒体の分離装置の一例としてのエアの吹き付け装置５７が配置されている。エアの吹き付け装置５７は、吸着ヘッド２２に対して右斜め下方から媒体分離用のエアを吹き付ける。なお、エアを吹き付けて媒体を分離する構成に関しては、例えば、特開平１１−８９６２５号公報や特開２００８−９４６０３号公報、特開２００５−１９４０２７号公報等に記載されており、従来公知の種々の構成を採用可能であるため、詳細な説明は省略する。
前記ワイヤ５２やプーリ５３〜５６、モータＭ１等により、保持部材の駆動装置の一例として、実施例１のヘッドの駆動装置５２〜５６＋Ｍ１が構成されている。また、前記吸着ヘッド２２や、蛇腹４０，排気ファンＨＦ、ヘッド駆動装置５２〜５６＋Ｍ１、エア吹き付け装置５７等により実施例１のシートの取出装置２１が構成されている。
【００４７】
図３において、実施例１の画像形成装置Ｕの制御部Ｃは、給紙装置Ｕ２を制御する給紙制御手段Ｃ１を有する。給紙制御手段Ｃ１は、搬送制御手段の一例としてのヘッド駆動手段Ｃ１１と、吸着制御手段の一例としてのファン制御手段Ｃ１２と、捌き制御手段の一例としての吹付制御手段Ｃ１３とを有する。
前記ヘッド駆動手段Ｃ１１は、供給制御手段Ｃ１１Ａを有し、モータＭ１の正逆回転を制御して、吸着ヘッド２２の駆動、位置を制御する。
前記供給制御手段Ｃ１１Ａは、シートＳの供給動作時に、シートＳの供給時期に基づいて、モータＭ１を正回転または逆回転させる。供給制御手段Ｃ１１Ａは、シートを吸着する場合には、吸着ヘッド２２がシートＳの上方の吸着位置に吸着ヘッド２２を移動させる。また、供給制御手段Ｃ１１Ａは、吸着したシートＳを下流側に搬送する場合には、吸着位置よりも右方の供給位置に吸着ヘッド２２を移動させる。
【００４８】
ファン制御手段Ｃ１２は、排気ファンＨＦを制御して、吸着ヘッド２２にシートＳを吸着させる。実施例１のファン制御手段Ｃ１２は、給紙動作が開始されて、シートＳを吸着する時期になると、排気ファンＨＦを作動させる。したがって、ファン制御手段Ｃ１２は、シートＳの吸着を開始する。そして、吸着ヘッド２２が供給位置に移動したと判別されると、ファン制御手段Ｃ１２は、排気ファンＨＦの排気を停止する。
吹付制御手段Ｃ１３は、エアの吹き付け装置５７を制御して、吸着ヘッド２２に吸着されたシートＳにエアを吹き付ける。すなわち、吹き付け制御手段Ｃ１３は、複数枚のシートＳが吸着されている場合に、シートＳの間にエアを吹き付けて、分離して、捌く。実施例１の吹付制御手段Ｃ１３は、ファン制御手段Ｃ１２が吸引を開始してから、予め設定された吹付開始時間ｔ３が経過した後に、エアの吹き付け装置５７を作動させてエアの吹付を開始する。そして、吹付制御手段Ｃ１３は、吹付開始後、予め設定された吹付時間ｔ４が経過すると、エアの吹付を終了する。なお、実施例１では、吹付開始時間ｔ３は、排気ファンＨＦが作動してから封止スカート３６が上端まで上昇するまでの時間が、実験等で予め測定され、設定されている。また、吹付時間ｔ４は、エアの吹付で十分にシートＳが分離可能な程度の時間が、実験等で予め測定され、設定されている。
【００４９】
（実施例１の作用）
図６は実施例１のシートが供給される場合の作用説明図であり、図６Ａは画像形成動作が開始される前の状態の説明図、図６Ｂは画像形成動作が開始されて積載プレートが上昇位置に移動した状態の説明図である。
前記構成を備えた実施例１の画像形成装置Ｕでは、画像形成動作としてのジョブが開始される前は、図６Ａに示すように、給紙トレイＴＲ１，ＴＲ２の昇降プレート１１が下降位置に移動している。また、吸着ヘッド２２は、吸着位置に移動している。
ジョブが開始されると、昇降プレート１１が図６Ｂに示す上昇位置に上昇して、積載プレート１１に積載されたシートＳの束の最上面のシートＳが封止スカート３６の下端に近接した状態となる。
【００５０】
図７は実施例１のシートが供給される場合の作用説明図であり、図７Ａは図６Ｂに示す状態から媒体が吸着されると共に媒体を分離するエアが吹き付けられた状態の説明図、図７Ｂは図７Ａに示す状態から吸着ヘッドが吸着位置から供給位置に移動した状態の説明図である。
次に、排気ファンＨＦが作動して、蛇腹４０や排気ダクト３９ｆを介して、排気口２６ａから吸気される空間３７の排気が行われる。吸気される空間３７の吸気が行われると、最上面のシートＳが封止スカート３６の下端に吸着される。このとき、シートＳが封止スカート３６の下面に接触すると、吸気される空間３７がほぼ密閉された状態となる。すなわち、吸気される空間３７に対して、外部から気体の流入が制限された状態となる。
この状態から、さらに吸気される空間３７の排気が行われると、密閉された吸気された空間３７が低圧状態となる。したがって、封止スカート３６と共にシートＳが上昇して、図７Ａに示す状態となる。
【００５１】
このとき、最上面のシートＳの下面に静電気等で１枚または複数のシートＳが吸着されて、共に上昇する場合がある。ここで、封止スカート３６と共に上昇したシートＳは、封止スカート３６が上端まで移動した状態で更に排気が行われると、シートＳが撓む。したがって、撓んだシートＳは、傾斜面３２やリブ３３に接触して、波打った状態となる。また、シートＳの搬送方向の下流端部である右端部も、ガイド本体４２ｂの下面に接触して湾曲する。シートＳの湾曲の状態は、最上面のシートＳとその下のシートＳとでは差が発生し、シートＳ間に隙間が発生する。したがって、吸引力を受ける最上面のシートＳに対して、下側のシートＳが分離されやすくなる。
また、実施例１の画像形成装置Ｕでは、吸気される空間３７の排気が開始されると、エアの吹き付け装置５７も作動する。したがって、エアの吹き付け装置５７から、シートＳに対してエアが吹き付けられる。よって、湾曲の状態の違いで発生したシートＳ間の隙間に対して、エアが吹き付けられる。したがって、最上面のシートＳに対して、その他のシートＳが分離される。分離されたシートＳは、落下して、昇降プレート１１に積載される。
よって、最初に複数枚のシートＳが吸着ヘッド２２に吸着されても、最終的には、吸着ヘッド２２には１枚のシートＳが吸着された状態となる。
【００５２】
また、実施例１の吸着ヘッド２２では、分離用のエアがシートＳに吹き付けられても、シートＳの搬送方向の前端部の上面が、ガイド本体４２ｂで支持される。したがって、シートＳの搬送方向の前端部が上方に捲れることが低減されている。特に、実施例１の吸着ヘッド２２では、排気ファンＨＦが作動した場合に、シートガイド４２の吸気口４３から吸気が行われる。したがって、シートＳの搬送方向の前端部が、ガイド本体４２ｂの下面に吸着される。したがって、シートＳの搬送方向の前端部は、シートガイド４２に安定して保持される。
吸着ヘッド２２にシートＳが吸着されると、モータＭ１が回転して、ワイヤ５２が図３Ｂにおいて時計回り方向に回転する。よって、ワイヤ５２にワイヤの固定部５１を介して支持された吸着ヘッド２２は、ガイドシャフト４８に沿って右方向の供給位置に移動する。吸着ヘッド２２に吸着されたシートＳの搬送方向の前端が、搬送ローラＲａに到達すると、図７Ｂに示すように、シートＳは搬送ローラＲａに挟まれて下流側に搬送される。
【００５３】
図８は実施例１のシートが供給される場合の作用説明図であり、図８Ａは図７Ｂに示す状態からエアの吹き付けが終了した状態の説明図、図８Ｂは図８Ａに示す状態から吸着ヘッドが吸着位置に戻った状態の説明図である。
図８Ａにおいて、搬送ローラＲａにシートＳが受け渡されると、エアの吹き付けが終了する。そして、モータＭ１が逆回転して、吸着ヘッド２２は、図８Ｂに示すように、吸着位置に戻される。このとき、シートＳが封止スカート３６を通過すると、吸気される空間３７の密閉が解除される。したがって、図８Ｂに示すように、封止スカート３６は、下方に降下する。
【００５４】
ここで、シートガイド４２が設けられていない場合は、吸着ヘッド２２の移動に伴ってシートＳの前端が気流を受けて、シートＳの前端が上方に捲れ上がったり、下方に垂れ下がったりする恐れがある。また、エアの吹き付け装置５７からの吹き付けがされて、捲れ上がったり、垂れ下がったりする場合もある。特に、片面が使用済みのシートＳや、温度や湿度に影響を受けて、シートＳに巻き癖、いわゆるカールが発生している場合には、捲れ上がりや垂れ下がりが発生する恐れが高くなる。シートＳの前端が捲れ上がったり垂れ下がったりすると、搬送ローラＲａに受け渡される際に、引っ掛かる恐れがある。シートＳが引っ掛かると、紙詰まり、給紙不良が発生してしまう。
これに対して、実施例１の吸着ヘッド２２では、吸着ヘッド２２が吸着位置から供給位置に移動する間は、排気ファンＨＦが作動している。したがって、シートＳの搬送方向の前端部は、シートガイド４２に吸着された状態で保持され続ける。よって、シートＳの前端が搬送ローラＲａに確実に受け渡される。
【００５５】
図９は従来の吸着ヘッドの説明図である。
図９において、従来の吸着ヘッド０１では、封止スカート０２を支持するピン０３は、前、後、左、右で全て共通の構成としていた。すなわち、ピン０３には、貫通口３５ａが形成されていなかった。
したがって、シートガイド０４は、封止スカート０２の可動域に合わせて、封止スカート０２を上方に大きく回り込む形状に形成されていた。よって、シートガイド０４に吸引口０４ａを形成しようとした場合、エアの流路０６は、シートガイド０４に沿って大きく回り込んで、メイン流路０７に接続する必要があった。
【００５６】
したがって、従来の構成では、エアの流路０６は、流路の長さが長くなり、且つ、曲がり角の多い形状となっていた。よって、排気ファンでエアの吸引をする際に、流路の長さや曲がり角の多さが吸引の抵抗となる。したがって、吸引口０４ａの吸引力が低下して、シートＳの吸着が不十分になる恐れがあった。
これに対応して、排気ファンの排気量を大きくすると、ファンやモータが大型化して吸着ヘッド０１の全体が大型化したり、製造費用や消費電力が増大したり、騒音が大きくなるといった問題があった。また、シートガイド０４の吸引口０４ａの専用の排気ファンを設けると、部品点数が増大し、コストが増大する問題がある。
【００５７】
これに対して、実施例１の吸着ヘッド２２では、支持筒３５が、封止スカート３６を支持し、且つ、内部に流路を構成する貫通孔３５ａが形成されている。すなわち、支持筒３５が、封止スカート３６を支持する部材と、流路を構成する部材を兼用している。よって、従来の構成のようにエアの流路０６が大回する必要が無く、従来の構成に比べて、流路の長さが短くなり、曲がり角も少なくなる。したがって、吸引の抵抗が減少し、吸気口４３がシートＳを吸着する吸着力を十分に確保しやすくなる。よって、吸着ヘッド２２の大型化や、費用や消費電力の増大、騒音の増大等を抑制することが可能である。
また、実施例１では、支持筒３５は、封止スカート３６だけでなく、シートガイド４２も支持している。したがって、実施例１の支持筒３５は、シートガイド４２を支持する部材も兼用している。よって、シートガイド４２は、従来の構成に比べて、上方に回り込む必要が無くなって小型化される。
【００５８】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ06）を下記に例示する。
（Ｈ01）前記実施例において、画像形成装置の一例としての複写機に限定されず、プリンタ、ＦＡＸ等の画像形成装置にも適用可能である。また、カラーの画像形成装置に限定されず、モノクロの画像形成装置にも適用可能である。さらに、タンデム型の画像形成装置に限定されず、ロータリ型の画像形成装置にも適用可能である。また、電子写真方式の画像形成装置に限定されず、インクジェット記録方式や熱転写方式等の他の方式の画像形成装置にも適用可能である。
【００５９】
（Ｈ02）前記実施例において、吸着ヘッド２２に、外周を囲む封止スカート３６を配置する構成を例示したが、封止スカートの数や大きさは、これに限定されない。例えば、封止スカート３６の内側に、はがき等の小サイズのシートに対応するためのスカートを追加で配置することも可能である。すなわち、シートのサイズに応じて、複数段のスカートを配置することも可能である。
（Ｈ03）前記実施例において、シートガイド４２に吸気口４３を形成する構成を例示したが、これに限定されない。シートＳの搬送方向の下流側だけでなく、吸着ヘッド２２に対して、シートＳの搬送方向の上流側や幅方向の両側にもガイドや吸気口を追加する構成とすることも可能である。
【００６０】
（Ｈ04）前記実施例において、シートガイド４２の大きさや吸気口４３、支持筒３５の位置や大きさ、数等は、設計や仕様等に応じて、任意に変更可能である。
（Ｈ05）前記実施例において、囲み部材の一例としての封止スカート３６の構成は、実施例に例示した板状の形態に限定されない。例えば、シートＳを分離する際に発生するシートＳの撓みに封止スカートを沿わせるために、複数の短冊状の部材が垂れ下がった「のれん」状の形態としたり、撓み発生時に弾性変形する弾性体で構成したり、カーテン状の形態としたり等、形態や構成について変更可能である。
【００６１】
（Ｈ06）前記実施例において、第２の流路４５は、例示した構成に限定されず、長さや折れ曲がる位置や折れ曲がる回数について、ヘッド本体２３の構成や支持筒３５の位置、シートガイド４２の形状や大きさ等に応じて、変更可能である。
【符号の説明】
【００６２】
１１…積載部材、
２１…媒体供給装置、
２２…保持部材、
２３…本体部、
３１…第１の吸引口、
３４，３５…支持部、
３６…囲み部材、
３７…空間、
４１…第１の流路、
４２…案内部、
４３…第２の吸引口、
４５…第２の流路、
ＨＦ…吸引装置、
Ｒａ…搬送部材、
Ｓ…媒体、
ＴＲ１，ＴＲ２…収容容器、
Ｕ…画像形成装置。
【図１】
2014105106.tif 000003
【図２】
2014105106.tif 000004
【図３】
2014105106.tif 000005
【図４】
2014105106.tif 000006
【図５】
2014105106.tif 000007
【図６】
2014105106.tif 000008
【図７】
2014105106.tif 000009
【図８】
2014105106.tif 000010
【図９】
2014105106.tif 000011